(57)【特許請求の範囲】
【請求項１】
可撓性を有するシート状のキャンバスと、前記キャンバスを支持するように横幅方向に間隔を置いて複数設けられるとともに上下方向へ揺動するように支持された支持アームと、前記複数の支持アームを電動で揺動させる揺動用電動駆動部と、前記キャンバスに設けられた光電池と、前記揺動用電動駆動部を制御可能な制御部とを備えたオーニング装置であって、
前記揺動用電動駆動部は、複数の前記支持アームをそれぞれ電動で揺動させるように、前記支持アーム毎に対応して複数設けられ、
前記制御部は、前記キャンバスにおける左側部分の傾斜角度と右側部分の傾斜角度とを太陽の位置に応じてそれぞれ個別に変化させるように、前記複数の揺動用電動駆動部をそれぞれ個別に制御することを特徴とするオーニング装置。
【請求項２】
前記制御部は、前記光電池による発電量を増大するように、複数の前記揺動用電動駆動部をそれぞれ制御して、前記傾斜角度を自動的に変化させることを特徴とする請求項１記載のオーニング装置。
【請求項３】
前記光電池が可撓性を有するシート状に形成され、
前記キャンバスを後端側で巻き取ったり繰り出したりするように外周面が円筒状に形成された巻取体を備えるとともに、前記複数の支持アームをそれぞれ伸縮可能に構成し、前記キャンバス及び前記光電池を前記巻取体に円筒状に巻き込みながら前記支持アームを収縮するようにしたことを特徴とする請求項１又は２記載のオーニング装置。
【請求項４】
キャンバス横幅方向へ連続する長尺棒状の支持基体を備え、この支持基体は、前記複数の支持アームをそれぞれ後端側から揺動可能に支持し、
前記揺動用電動駆動部の各々には回転式電動機を備え、該回転式電動機を、前記巻取体と略平行になるように前記支持基体に支持していることを特徴とする請求項３記載のオーニング装置。
【請求項５】
前記制御部は、複数の前記揺動用電動駆動部の動作パターンを複数種類記憶した記憶装置を備え、入力される条件データに応じて前記動作パターンを選択し、その選択された動作パターンに応じて、複数の前記揺動用電動駆動部を制御するようにしたオーニング装置であって、
前記条件データには、現在の時刻の情報を含み、
前記動作パターンは、前記支持アームの各々が時刻の経過に応じて予め設定された角度になるように、対応する前記揺動用電動駆動部を制御するパターンであることを特徴とする請求項１乃至４何れか１項記載のオーニング装置。
【請求項６】
請求項１乃至５何れか１項記載のオーニング装置を取り付けた開口構造。
【発明の詳細な説明】
【技術分野】
【０００１】
本発明は、店頭などにおいて、日除けや雨除けなどのためにキャンバスを張設・保持・収納するオーニング装置に関し、特に、光電池を有するキャンバスの角度を、日照角度に応じて自動調整可能なオーニング装置及び該オーニング装置を取り付けた開口構造に関するものである。
【背景技術】
【０００２】
従来、この種の発明には、特許文献１に記載のもののように、キャンバス（織物１）と、該キャンバスを支持する支持アーム（延長アーム）と、前記キャンバスを巻き取る断面六角形状の巻取体（チューブ５）と、該巻取体を支持するとともにヒンジ（１２）によって回動可能に支持されたサポート（９）と、該サポートを上下に揺動させるシリンダ（１０）と、前記キャンバス上に設けられた多数の光電池（３）とを具備したものがある。
この従来技術によれば、前記シリンダ（１０）の駆動によってサポート（９）を回動させれば、キャンバス（織物１）全体の角度が変化する。したがって、キャンバスの正面側に太陽が位置する場合には、その太陽の高さ（角度）に応じてキャンバス全体の角度を調整して、前記光電池（３）の発電効率を向上させることが可能である。
【０００３】
しかしながら、前記従来技術では、例えば、キャンバスが南向きに設置されており、南側から太陽が西側へ傾いた場合等には、太陽光とキャンバス面（光電池３）との間の角度が小さくなり、効率的な発電を行うことができない。
【先行技術文献】
【特許文献】
【０００４】
【特許文献１】特開２００４−５２３６８１号公報
【発明の概要】
【発明が解決しようとする課題】
【０００５】
本発明は、上記従来事情に対処することを課題の一例とするものである。すなわち、キャンバスに設けられる光電池の発電効率を向上すること、光電池を日照角度に応じて発電効率のよい適切な角度に自動調整すること、キャンバスの正面側に太陽が位置しない場合であっても効率的な発電を行えること等、が本発明の目的である。
【課題を解決するための手段】
【０００６】
上記課題を解決するための一手段は、可撓性を有するシート状のキャンバスと、前記キャンバスを支持するように横幅方向に間隔を置いて複数設けられるとともに上下方向へ揺動するように支持された支持アームと、前記複数の支持アームを電動で揺動させる揺動用電動駆動部と、前記キャンバスに設けられた光電池と、前記揺動用電動駆動部を制御可能な制御部とを備えたオーニング装置であって、前記揺動用電動駆動部は、複数の前記支持アームをそれぞれ電動で揺動させるように、前記支持アーム毎に対応して複数設けられ、前記制御部は、前記キャンバスにおける左側部分の傾斜角度と右側部分の傾斜角度とを太陽の位置に応じてそれぞれ個別に変化させるように、前記複数の揺動用電動駆動部をそれぞれ個別に制御することを特徴とする。
【発明の効果】
【０００７】
本発明は、以上説明したように構成されているので、キャンバスに設けられる光電池の発電効率を向上すること、光電池を日照角度に応じて発電効率のよい適切な角度に自動調整すること、キャンバスの正面側に太陽が位置しない場合であっても効率的な発電を行えること等、本発明の目的を達成することができる。
【図面の簡単な説明】
【０００８】
【図１】本発明に係るオーニング装置の一例を示す斜視図。
【図２】同オーニング装置の左半部を示す要部正面図。
【図３】同オーニング装置の動作を示す要部側面図。
【図４】同オーニング装置のキャンバスを横幅方向の片側のみ下げた状態を示す斜視図。
【図５】同オーニング装置の通常動作時の制御例を示すフローチャート。
【図６】複数の揺動用電動駆動部の動作パターンの一例を示す表。
【図７】同オーニング装置の収納動作時の制御例を示すフローチャート。
【発明を実施するための形態】
【０００９】
本実施の形態の第一の特徴は、可撓性を有するシート状のキャンバスと、前記キャンバスを支持するように横幅方向に間隔を置いて複数設けられるとともに上下方向へ揺動するように支持された支持アームと、前記複数の支持アームを電動で揺動させる揺動用電動駆動部と、前記キャンバスに設けられた光電池と、前記揺動用電動駆動部を制御可能な制御部とを備えたオーニング装置であって、前記揺動用電動駆動部は、複数の前記支持アームをそれぞれ電動で揺動させるように、前記支持アーム毎に対応して複数設けられ、前記制御部は、前記複数の揺動用電動駆動部をそれぞれ個別に制御する。
この構成によれば、例えば、キャンバスが南向きに設置され、太陽が西側へ傾いた場合には、西側寄りの支持アームのみを下げることで、光電池による発電が効率的に行われるように、キャンバスを傾斜させることができる。
【００１０】
第二の特徴は、より具体的な態様として、前記制御部は、前記光電池による発電量を増大するように、複数の前記揺動用電動駆動部をそれぞれ制御する。
【００１１】
第三の特徴は、より具体的な態様として、前記光電池が可撓性を有するシート状に形成されている。
この構成によれば、キャンバスの横幅方向の片側のみを柔軟に傾けることができるため、高効率な発電を行えるようにきめ細かにキャンバスを傾斜させることができる。
【００１２】
第四の特徴は、より具体的な態様として、前記キャンバスを後端側で巻き取ったり繰り出したりするように外周面が円筒状に形成された巻取体を備えるとともに、前記複数の支持アームをそれぞれ伸縮可能に構成し、前記キャンバス及び前記光電池を前記巻取体に円筒状に巻き込みながら前記支持アームを収縮するようにした。
【００１３】
第五の特徴は、より具体的な態様として、キャンバス横幅方向へ連続する長尺棒状の支持基体を備え、この支持基体は、前記複数の支持アームをそれぞれ後端側から揺動可能に支持している。
この構成によれば、支持基体を基準にして、支持アームをそれぞれ個別に揺動させることができる。
【００１４】
第六の特徴は、より具体的な態様として、前記制御部は、複数の前記揺動用電動駆動部の動作パターンを複数種類記憶した記憶装置を備え、入力される条件データに応じて前記動作パターンを選択し、その選択された動作パターンに応じて、複数の前記揺動用電動駆動部を制御する。
【００１５】
第七の特徴は、より具体的な態様として、光の照度を計測してその計測値を電気信号として出力する照度センサを備え、前記制御部は、前記照度センサから入力される前記電気信号に応じて前記揺動用電動駆動部を制御する。
なお、前記照度センサの位置は、キャンバスの上面や、キャンバスの前端部を支持する支持前枠の上面等、太陽光によって直接照射される位置であって、且つ支持アームの揺動に伴って揺動する位置とするのが好ましい。このようにすれば、支持アームの揺動により変化する照度データをフィードバックしながら、支持アームの角度を適宜に調整することができる。
【００１６】
第八の特徴は、より具体的な態様として、風速を計測してその計測値を電気信号として出力する風速センサを備え、前記制御部は、前記風速センサによる電気信号に応じて前記揺動用電動駆動部を制御する。
この構成によれば、強風によって当該オーニング装置が損傷し、光電池による発電が不能になるようなことを防ぐことができる。
【００１７】
第九の特徴は、雨が降ったことを感知する雨センサを備え、前記制御部は、前記雨センサによる感知信号に応じて前記揺動用電動駆動部を制御する。
この構成によれば、例えば、雨が降った場合にキャンバスを自動的に適切な角度にする等、天候に応じた適切な制御が可能となる。
【００１８】
第十の特徴は、前記第一乃至九の何れかの特徴を有するオーニング装置が取り付けられた開口構造とする。
【００１９】
また、より好ましい態様として、上記特徴に、以下の構成を追加してもよい。
すなわち、この追加される構成の一つは、特に揺動用電動駆動部をコンパクトに具備するために、前記揺動用電動駆動部の各々として、回転式電動機を備え、該回転式電動機を、キャンバスを巻き取るための巻取体と略平行になるように前記支持基体に支持する。
また、前記追加される構成の他の一つは、頑強で作動性及び生産性の良好な揺動用電動駆動部の支持構造を得るために、前記揺動用電動駆動部に、駆動回転する駆動軸を備え、該駆動軸を、前記支持基体に固定された軸受ブラケットに回転自在に支持し、この駆動軸に、前記支持アームの基端側を支持する。
また、前記追加される構成の他の一つでは、より頑強で生産性の良好な構造とするために、前記支持基体の一端側と他端側からそれぞれ前記軸受ブラケットを突出し、前記揺動用電動駆動部は、前記駆動軸が互いに背反する方向へ向いて前記軸受ブラケットに支持されるように、二つ設けられる。
また、前記追加される構成の他の一つは、前記回転式電動機の回転軸の回転力をギヤ部を介して前記駆動軸に伝達するように構成され、前記ギヤ部は、駆動源側のウォームと、反駆動源側ウォームホイールとを噛み合わせてなるウォームギアを具備する。この構成によれば、駆動源側のウォームと反駆動源側ウォームホイールとの噛み合いにより、支持アームの重量によって駆動軸が回転するのを防ぐことができる。
【００２０】
次に、上記形態の特に好ましい実施例を、図面に基づいて詳細に説明する。
【実施例】
【００２１】
このオーニング装置１は、図１〜４に示すように、可撓性を有するシート状のキャンバス１０と、キャンバス１０を後端側で巻き取ったり繰り出したりする巻取体２０と、キャンバス１０を支持するように横幅方向に間隔を置いて複数（本実施例によれば二つ）設けられるとともに上下方向へ揺動するように支持された支持アーム３０と、巻取体２０及び支持アーム３０を前記後端側から支持する支持基体４０と、複数の支持アーム３０を電動で揺動させるように支持アーム３０毎に対応して設けられた揺動用電動駆動部５０と、キャンバス１０の上面に設けられた光電池７０とを備える。
このオーニング装置１は、例えば、家やビル等の建築物の開口部に取付けられて開口構造を構成する。
なお、図１及び２によれば、主に左半部の構造を示すとともに右半部の構造を省略しているが、右半部の構造は、左半部の構造と左右対称である。
【００２２】
キャンバス１０は、平面視略矩形状に形成され、例えば、ガラスクロスやシリカクロス等の難燃性布地や、フッ素加工を施した塩化ビニル樹脂シート材、ガラス繊維を含んだ合成樹脂シート材等、耐火性（難燃性を含む）を有する可撓性シート材料から形成され、特に好ましくは、不燃性の可撓性シート材料から形成される。
このキャンバス１０の前端部は、支持前枠１１に止着され、同キャンバス１０の後端部は、巻取体２０の外周に止着される。
【００２３】
支持前枠１１は、キャンバス１０の横幅方向の略全長にわたる棒状の部材であり、金属材料や合成樹脂材料等の硬質材料から構成され、後述する複数の支持アーム３０の前端部によって支持される。
この支持前枠１１の上面側には、必要に応じて、光の照度を計測してその計測値を電気信号として出力する複数（図示例によれば二つ）の照度センサ１２ａ，１２ｂと、風速を計測してその計測値を電気信号として出力する風速センサ１３と、雨が降ったことを感知しその感知信号を出力する雨センサ１４とが具備される。
【００２４】
巻取体２０は、キャンバス１０の横幅方向の全長と略同等の長さの円筒体状に形成され、その両端側に巻取体支持ブラケット４３を介することで、支持基体４０の前方斜め上方側に離間した位置で、回転自在に支持されている。
この巻取体２０内には、図示しない回転式電動機（例えば、チューブラモータ等）が具備される。この回転式電動機は、基部と該基部に対し双方向へ駆動回転する出力軸とを備え、前記基部を巻取体２０内面に固定するとともに、前記出力軸を巻取体支持ブラケット４３に対し回転不能に固定している。したがって、前記回転式電動機の供給電源を制御すれば、巻取体２０を双方向へ回転させることができる。
【００２５】
支持アーム３０は、折れ曲がるようにして収縮し、展開するようにして伸長する複数（図示例によれば二つ）の関節アーム３１，３２と、これら関節アーム３１，３２を伸長方向へ付勢する図示しない付勢部材（例えば、コイルスプリングや板バネ等）とを具備してなる。
この支持アーム３０によれば、巻取体２０を繰出し方向へ回転させると、キャンバス１０が繰り出されるのに伴って、開閉体支持前枠１１が巻取体２０から離れてゆくとともに、支持アーム３０が前記付勢部材の付勢力によって展開するように伸長する。また、巻取体２０を巻取り方向へ回転させれば、キャンバス１０が巻取体２０に巻き取られるのに伴って、開閉体支持前枠１１が巻取体２０に近づくとともに、支持アーム３０が折れ曲がるようにして収縮する。
【００２６】
一方の関節アーム３１の基端側は、アームブラケット３３の先端側に、略水平方向へ回動するように支持され、同関節アーム３１の先端側には、他方の関節アーム３２が略水平方向へ回動するように支持される。また、他方の関節アーム３２は、その先端側が、支持前枠１１に対し、略水平方向へ回動するように接続されている。
【００２７】
また、アームブラケット３３は、後述する揺動用電動駆動部５０の駆動軸５３に固定されて前方へ突出しており、駆動軸５３の回転に伴って上下に揺動する。
【００２８】
支持基体４０は、キャンバス１０の横幅方向へ連続する長尺角柱状の部材であり、キャンバス１０の横幅方向の寸法よりも若干長く形成されている。
この支持基体４０は、長手方向の中途位置に止着された複数の取付ブラケット４１により、当該オーニング装置１の設置対象物である建造物等に対し、不動に固定される。
この支持基体４０には、駆動軸５３を回転自在に支持する軸受ブラケット４２、巻取体２０を回転自在に支持する巻取体支持ブラケット４３、揺動用電動駆動部５０の中途部分を支持する途中支持ブラケット４４、揺動用電動駆動部５０の基端側を支持する基端側支持ブラケット４５が、それぞれ回動不能且つ軸方向移動不能に固定される。
【００２９】
軸受ブラケット４２は、支持基体４０の一端側と他端側にそれぞれ配設される。この軸受ブラケット４２は、角柱状の支持基体４０に対し環状に装着されることで、回転不能に固定され、突出する先端側を前方斜め下方へ向けており、この先端側部分に揺動用電動駆動部５０の駆動軸５３の先端部を挿通させて回転自在に支持している。
【００３０】
巻取体支持ブラケット４３は、軸受ブラケット４２における開閉体横幅方向の内側に接触するようにして配設される。この巻取体支持ブラケット４３は、角柱状の支持基体４０に対し環状に装着されることで、回転不能に固定され、突出する先端側を前方斜め上方へ向けており、この先端側部分によって巻取体２０を回転可能に支持している。
【００３１】
途中支持ブラケット４４は、巻取体支持ブラケット４３から開閉体横幅方向の中央寄りへ離間した位置に設けられる。この途中支持ブラケット４４は、角柱状の支持基体４０に対し環状に装着されることで、回転不能に固定され、突出する先端側を前方斜め下方へ向けており、この突出部分に、揺動用電動駆動部５０を構成する回転式電動機５１の回転軸を回転自在に支持し、この支持箇所よりも先端側の部分に、揺動用電動駆動部５０を構成するギヤ部５２を支持している（図１及び２参照）。
【００３２】
基端側支持ブラケット４５は、途中支持ブラケット４４から開閉体横幅方向へ離間した位置であって、支持基体４０の長手方向の中央寄りとなる位置に設けられる。この基端側支持ブラケット４５は、角柱状の支持基体４０に対し環状に装着されることで、回転不能に固定され、支持基体４０外面から突出する部分によって揺動用電動駆動部５０の基部５１ａ（図２参照）を回転不能に支持する。
【００３３】
揺動用電動駆動部５０は、双方向へ回転動作する回転式電動機５１と、該回転式電動機５１の回転速度及び回転力を適宜に調整して出力するギヤ部５２と、ギヤ部５２の出力側に連結された駆動軸５３とを具備している。
そして、この揺動用電動駆動部５０は、駆動軸５３が互いに背反する方向へ向いて軸受ブラケット４２に支持されるように、二つ設けられている。
【００３４】
回転式電動機５１は、基部５１ａ（図２参照）と、該基部５１ａの周りを回転する回転部５１ｂとを有する電動モータ（例えばチューブラモータ等）であり、回転中心部が巻取体２０と平行になり且つ支持基体４０に近接するように、支持基体４０に支持されている。
基部５１ａは、図示例によれば、支持基体４０と略平行な軸状に形成され、基端側支持ブラケット４５を介することで、支持基体４０に対し回転不能に固定されている。
回転部５１ｂは、基部５１ａの周囲を覆う略筒状に形成され、その先端側に一体に回転軸５１ｂ１を突出しており、該回転部５１ｂ１を途中支持ブラケット４４に挿通させて回転自在に支持される。
【００３５】
ギヤ部５２は、回転式電動機５１の回転軸５１ｂ１の回転速度を減速するとともにその回転力を増加して出力するギヤ機構である。
このギヤ部５２は、回転式電動機５１の回転力を、該回転式電動機５１の中心軸上で受け、前記中心軸から離れた位置で出力するように構成される。この構成によれば、回転する駆動軸５３及びアームブラケット３３等を、支持基体４０側の不動部材（例えば、支持基体４０や、巻取体支持ブラケット４３等）に干渉するのを防いだ上で、比較的長尺な回転式電動機５１を支持基体４０に近接させて配置することができ、ひいては、支持基体４０の前方斜め下方側に、回転式電動機５１が突出する量を低減することができる。
【００３６】
また、図示例のギヤ部５２は、ウォーム５２ａ，５２ｃと、ウォームホイール５２ｂ，５２ｄとを噛み合わせたウォームギアを構成している。
より詳細に説明すれば、ギヤ部５２は、回転式電動機５１の回転軸５１ｂ１の軸線上に連結されたウォーム５２ａと、該ウォーム５２ａに軸線を略直交させて噛み合うウォームホイール５２ｂと、該ウォームホイール５２ｂの軸線上に連結されたウォーム５２ｃと、該ウォーム５２ｃに軸線を略直交させて噛み合うウォームホイール５２ｄとによって、二組のウォームギアを構成しており、最も反駆動源側のウォームホイール５２ｄの軸線上に、駆動軸５３を連結している。ウォームホイール５２ｂとウォームホイール５２ｄは、支持ケース５２ｅを介して、途中支持ブラケット４４に対し回転自在に支持されている。
この構成によれば、回転式電動機５１が停止した際、支持アーム３０及び支持前枠１１等の重量により駆動軸５３が回転しようとするが、この回転を、駆動源側のウォーム５２ａ，５２ｃと反駆動源側のウォームホイール５２ｂ，５２ｄとを噛み合いにより阻むことができる。
なお、図示例によれば、二組のウォームギアを全て覆って支持するように支持ケース５２ｅを設けたが、他例としては、二組のウォームギアをそれぞれ覆い支持するように二つの支持ケースを設けた態様や、前記支持ケースに置換して各ウォームギアを露出して支持するブラケットを用いた態様等とすることも可能である。
【００３７】
駆動軸５３は、支持基体４０と略平行な軸状の部材である。この駆動軸５３の一端側は、ギヤ部５２の出力側のウォームホイール５２ｄに連結されるとともに、ギヤ部５２の支持ケース５２ｅを介して途中支持ブラケット４４に対し回転自在に支持されている。また、この駆動軸５３の他端側は、軸受ブラケット４２に挿通されて回転自在に支持されている。
この駆動軸５３は、回転式電動機５１の回転力をギヤ部５２を介して受け、回転する。
【００３８】
光電池７０は、可撓性を有する薄膜状光電池と、可撓性を有するとともに防水性を有する合成樹脂シートとを、厚み方向に接合して一体化したものであり、キャンバス１０の上面に、横幅方向へ間隔を置いて複数設けられる。各光電池７０は、キャンバス１０の延設方向（換言すれば前記横幅方向に直交する方向）の略全長にわたる長尺矩形状に形成され、キャンバス１０に対し、熱溶着や接着等により接合されている。
この光電池７０における可撓性は、該光電池７０が円筒状の巻取体２０に巻かれた際に、該光電池７０の外周部が巻取体２０の外周部に沿う円筒状に湾曲する程度の可撓性であればよい。
各光電池７０は、図示しない出力端子を備え、太陽光を受けて発電した電力を前記出力端子から出力する。
【００３９】
また、図中、符号６１（図１及び３参照）は、支持基体４０及び巻取体２０等の上方を覆う上部カバー、符号６２，６２は、支持基体４０及び巻取体２０等の側方を覆う側部カバーである。
また、図示を省略するが、このオーニング装置１には、巻取体２０内の回転駆動源（図示せず）及び揺動用電動駆動部５０の回転式電動機５１を制御するための操作部及び制御部が電気的に接続されている。
前記操作部は、巻取体２０内の回転式電動機（図示せず）を繰出し方向へ回転させるスイッチ、同回転式電動機を逆方向へ回転させるスイッチ、複数（図示例によれば二つ）の回転式電動機５１のそれぞれに対応して、各回転式電動機５１を一方へ回転させるスイッチ、各回転式電動機５１を逆方向へ回転させるスイッチ等を具備してなる。さらに、この操作部には、必要に応じて、左右の支持アーム３０を揺動させる左右の揺動用電動駆動部５０を、それぞれ手動で操作するためのスイッチが設けられる。
【００４０】
前記制御部（図示せず）は、前記操作スイッチから入力される信号や、照度センサ１２ａ，１２ｂ、風速センサ１３、雨センサ１４、他の機器等から入力される信号に応じて、巻取体２０内の回転式電動機（図示せず）や、複数の回転式電動機５１を制御するための信号を発する電気回路であり、例えば、マイコン回路やシーケンサー等を用いたプログラムドロジック回路や、電子回路やリレー回路等を用いたワイヤードロジック回路、あるいはこれらを適宜に組み合わせた回路等により構成される。
この制御部は、複数の揺動用電動駆動部５０の動作パターンを複数種類記憶した記憶装置を備え、入力される条件データに応じて前記動作パターンを選択的に呼び出し、その動作パターンに応じて、複数の揺動用電動駆動部５０をそれぞれ個別に制御し、光電池７０による発電量を増大する。
【００４１】
以下、前記制御部の制御について、図４に示すフローチャートに沿って詳細に説明する。
先ず、制御部は、電源が投入されると、図示しない記憶装置に条件データが記憶されているか否かを判断し（ステップ１）、条件データが記憶されている場合には次のステップ２へ処理を進め、そうでなければステップ１ａへ処理を進める。
【００４２】
ここで、条件データとは、キャンバス１０の正面方向（図３によれば右方向）がどちらの方向であるのかを示す方位情報（東、東南、南、南西、西、北西、北、北東など）、当該オーニング装置１が設置された場所の緯度経度の情報、現在の日付の情報、現在の時間の情報等である。
【００４３】
次に、ステップ１では、前記条件データの入力を要求する。より具体的に説明すれば、図示しない操作部の液晶表示画面に、質問形式にて前記条件データの入力を要求する表示を行い、前記操作部のキー操作等によって前記条件データが入力されるようにする。
【００４４】
なお、前記条件データのうち、緯度経度の情報は、緯度経度を示す数値を直接入力するようにしてもよいが、より好ましい一例としては、北海道、青森県、東京都など、都道府県名を選択的に入力するように要求し、入力された都道府県の緯度経度（例えば、各都道府県庁の緯度経度）が自動的に設定されるようにする。
【００４５】
また、他例としては、前記制御部にＧＰＳ（Global Positioning System）を備え、該ＧＰＳによって感知され計算された緯度経度、及び／又は方位が自動的に設定されるようにしてもよい。
また、現在の日付、及び現在の時間の情報も、図示しない通信手段によって得られる日付及び時間の情報が自動的設定されるようにしてもよい。
【００４６】
また、ステップ１ａでは、リセット信号の有無が判断され、リセット信号がある場合には次のステップ２ａへ処理を進め、そうでなければステップ１ｂへ処理を進める。
ここで、リセット信号とは、図示しない操作部に対する特別なリセット操作（例えば、リセットボタンを押す操作や、展開スイッチと収納スイッチの同時操作等）により発せられた信号や、外部から受信したリセットのための信号を意味する。
【００４７】
次のステップ２ａでは、図示しない記憶装置に記憶された前記条件データを消去し、ステップ２へ処理を進める。
また、ステップ１ｂでは、既に登録済みの条件データを前記記憶装置から呼び込み、ステップ３へ処理を進める。
すなわち、ステップ１ａ〜２ａ，１ｂ，２によれば、条件データが入力済みの場合であっても、リセット信号がある場合には、条件データを消去して、新たな条件データの入力を要求する。また、リセット信号がない場合には、既に入力済みの条件データをそのまま用いる。
【００４８】
次に制御部は、所定時間以内に条件データが入力されたか否かを判断し（ステップ３）、条件データが入力された場合には、その条件データに対応する動作パターンを図示しない記憶装置から選択し（ステップ４）、条件データが入力されなかった場合には、前記記憶装置に記憶された標準動作パターンを適用する。
ここで、前記動作パターンとは、複数（図示例によれば、左右二つ）の揺動用電動駆動部５０の制御パターンであり、より具体的に説明すれば、例えば、図６に示すように、左右の支持アーム３０，３０が時間の経過に応じて予め設定された角度になるように、左右の揺動用電動駆動部５０，５０を制御するパターンである。
この制御パターンは、前記した方位の情報、緯度経度の情報、現在の日付の情報等に対応して、複数種類用意されている。各動作パターンは、光電池７０による発電が効率的に行われるように、太陽軌道データ等の基礎データに基づいて予め設定されている。
また、前記標準動作パターンとは、例えば、複数種類の前記動作パターンのうち、統計的に最も適用される可能性の高い動作パターンとすればよい。
【００４９】
次のステップ５では、先のステップで選択された動作パターンに応じて、複数の揺動用電動駆動部５０を制御する。
より具体的に説明すれば、左右の揺動用電動駆動部５０，５０をそれぞれ個別に動作させることで、例えば、図６の表に示すように、左右の支持アーム３０，３０を、各時刻に対応する角度となるように揺動させる。なお、左右の揺動用電動駆動部５０は、時間の経過に対し連続的に動作するようにしてもよいし、所定時間置きに断続的に動作するようにしてもよい。
【００５０】
次に、当該オーニング装置１を収納動作する際のフローチャートについて説明する（図７参照）。
前記制御部は、図示しない操作部の操作による収納指令信号があった場合、キャンバス１０を巻取体２０に巻き取って複数の支持アーム３０を全て収縮させ、この際、複数の支持アーム３０が全て同じ角度になるように複数の揺動用電動駆動部５０を制御する。
【００５１】
詳細に説明すれば、先ず、前記制御部は、キャンバス１０が格納位置であるか否かを判断し（ステップ１１）、格納位置である場合には、次のステップ１２へ処理を進め、そうでなければ当該フローチャートを終了する。
ここで、前記格納位置とは、巻取体２０がキャンバス１０を巻取り、支持アーム３０が略収縮しきった状態を意味する。キャンバス１０が前記格納位置であるか否かは、例えば、巻取体２０又は巻取体２０内の回転式電動機の回転量に応じて作動する検知スイッチ（例えば、カウンター式のリミットスイッチ）を設け、該検知スイッチの信号の有無により判断すればよい。すなわち、前記検知スイッチは、巻取体２０又は巻取体２０内の回転式電動機の回転量が所定値以下の場合に接点信号を出力するように設けられ、前記制御部は、前記検知スイッチから入力される接点信号がある場合に、キャンバス１０が格納位置であると判断する。
【００５２】
ステップ１２では、開閉体収納信号の有無を判断し、開閉体収納信号がある場合には、次のステップ１３へ処理を進め、そうでなければ、当該フローチャートを終了する。
前記開閉体収納信号は、完全に展開された状態又は途中位置まで展開された状態のキャンバス１０を、前記格納位置まで収納動作させるための信号であり、例えば、前記操作スイッチの操作により発せられた信号や、風速センサ１３によって感知される風速が所定の閾値以上となった場合に発せられる信号、又は、照度センサ１２ａ又は１２ｂによって感知される照度が所定の閾値以下となった場合に発せられる信号等とすればよい。
【００５３】
ステップ１３では、複数の揺動用電動駆動部５０の全てについて、揺動用電動駆動部５０を駆動させることで、アームブラケット３３、支持アーム３０、開閉体支持前枠１１及びキャンバス１０等を上方へ揺動させる（図３参照）。より詳細に説明すれば、揺動用電動駆動部５０の回転式電動機５１に電力を供給することで、該回転式電動機５１を回転させるとともに該回転式電動機５１の回転力によって駆動軸５３を回転させて、アームブラケット３３、支持アーム３０、開閉体支持前枠１１及びキャンバス１０を上方へ揺動させる。
【００５４】
ステップ１４では、キャンバス１０の角度、すなわち支持アーム３０の角度が上限に達したか否かが判断され、上限（図３の二点鎖線参照）に達した場合には、次のステップ１５へ処理を進め、そうでなければ、ステップ１４による上方への揺動を継続する。
ここで、キャンバス１０及び支持アーム３０等が上限に達したか否かの判断は、揺動用電動駆動部５０に具備されるリミットスイッチ（図示せず）の信号の有無による判断である。前記リミットスイッチは、回転軸５１ｂ１や駆動軸５３等の回転部分が所定の回転量となった場合に作動する接触式スイッチ又は非接触式スイッチ（例えば、カウンター式スイッチや、エンコーダスイッチ、ホールセンサ等）、あるいは、アームブラケット３３等の揺動部分が所定量上方へ揺動した際に作動するように設けられた接触式スイッチ又は非接触式スイッチ（例えば、マイクロスイッチや、近接スイッチ、ホールセンサ等）等とすればよい。
なお、前記上限となる角度は、キャンバス１０上に雪や雨が停滞することなく流れ落ちるように、適宜に設定されている。
【００５５】
ステップ１５では、複数の揺動用電動駆動部５０の全てについて、揺動用電動駆動部５０の回転式電動機５１への供給電力を遮断することで、支持アーム３０及びキャンバス１０等の揺動を停止する。この停止の際、アームブラケット３３及び支持アーム３０等が重量によって下方へ揺動してしまうのを、ギヤ部５２内の駆動源側のウォーム５２ａ，５２ｃと反駆動源側のウォームホイール５２ｂ，５２ｄとの噛み合いによって阻むことができる。
【００５６】
次に、ステップ１６では、巻取体２０内の回転式電動機を回転させることにより、巻取体２０を巻取り方向へ回転させて、該巻取体２０にキャンバス１０を巻き取るとともに、複数の支持アーム３０を付勢部材（図示せず）の付勢力に抗して収縮させる。
【００５７】
ステップ１７では、キャンバス１０が格納位置になったか否かが判断され、キャンバス１０が格納位置になった場合には、次のステップ１８へ処理を進め、そうでなければ、巻取体２０の巻取方向への回転を継続する。このステップで、キャンバス１０が格納位置になったか否かの判断は、上記ステップ１１と略同様に、巻取体２０又は巻取体２０内の回転式電動機の回転量に応じて作動する前記検知スイッチの信号の有無により判断すればよい。
【００５８】
ステップ１８では、巻取体２０内の回転式電動機（図示せず）を停止することで、巻取体２０の回転を停止する。
【００５９】
なお、図７に示すフローチャートでは、キャンバス１０を上方へ揺動させた後に巻き取って格納位置にするようにしたが、他例としては、キャンバス１０を巻き取った後に上方へ揺動させて格納位置にすることも可能である。
また、巻取体２０内の回転式電動機は、前記停止時に出力軸が自由回転しないように構成される。この構成は、例えば、前記回転式電動機に回転軸をロックしたり解放したりするブレーキ機構を具備すればよい。
【００６０】
また、フローチャートによる説明を省略するが、上記制御部は、上記操作部や、センサ等から発せられる信号として停止信号を受けた場合、図５及び図７のフローチャートにおけるどの段階（ステップ）であっても、巻取体２０内の回転式電動機の停止、及び揺動用電動駆動部５０の停止を行う。
【００６１】
また、上記制御部は、上記操作部やセンサ等から発せられる信号として、キャンバス１０を展開するための信号を受けた場合には、キャンバス１０を展開するように、巻取体２０内の回転式電動機を回転させる。特に、好ましい一例としては、雨センサ１４による感知信号があった場合に、キャンバス１０を展開するように、巻取体２０内の回転式電動機を回転させる。
【００６２】
また、上記制御部は、上記操作部やセンサ等から発せられる信号として、キャンバス１０を上方又は下方へ揺動させる信号を受けた場合には、その信号に応じて、支持アーム３０等の上方又は下方へ揺動させるように、回転式電動機５１を回転させる。
【００６３】
よって、上記構成のオーニング装置１によれば、太陽の移動に応じて、光電池７０による発電が効率的に行われるように、キャンバス１０の左右部分の傾斜角度をそれぞれ個別に変化させることができる。例えば、キャンバス１０が南向きに設置されている状態において、太陽が東寄りに位置する場合には、東寄りの一方の支持アーム３０のみを他方より下げ、太陽が略真南に位置する場合には、左右の両支持アーム３０を略同じ角度にし、また、太陽が西側へ傾いた場合には、西側寄りの他方の支持アーム３０のみを前記一方よりも下げることが可能である。（図４参照）。すなわち、このオーニング装置１によれば、太陽の移動に追従するようにして、支持アーム３０の左右の傾きを変化させることができ、ひいては、光電池７０による発電を効率的に行うことができる。
【００６４】
また、揺動用電動駆動部５０を支持基体４０に近接して横幅方向へわたって設けているため、支持基体４０下方側へ突出する部分が少なく、ひいては、下方側へ突出する部品等が当該オーニング装置１の設置対象物（建築物等）に干渉したり、下方へ突出する部品等が当該オーニング装置１の意匠上の体裁を損ねたりするのを防ぐことができる。
また、支持アーム３０を揺動させるための駆動軸５３を、軸方向両側の軸受ブラケット４２及び途中支持ブラケット４４等を介して支持基体４０に支持するようにしているため、支持アーム３０を揺動可能に支持する構造を、頑強で作動性の良好な構成とすることができる。
また、図７に基づいて説明したように、キャンバス１０を格納位置にした際には、複数の支持アーム３０が全て同じ角度となるため、キャンバス１０の格納状態での意匠上の体裁を向上することができる。
その上、光電池７０が可撓性を有するシート状であるため、キャンバス１０及び光電池７０を円筒状の巻取体２０に巻き取った際、キャンバス１０及び光電池７０も略円筒状に巻重ねられる。よって、キャンバス等を角柱状の巻取体に巻き取る従来技術等と比較し、巻取体２０に巻かれたキャンバス１０及び光電池７０の外径を小さくして、コンパクトな収納態様とすることができる。
【００６５】
なお、上記実施例によれば、入力される条件データに応じた動作パターンで複数の揺動用電動駆動部５０を動作させるようにしたが、他例としては、照度センサ１２ａ，１２ｂから入力される電気信号（照度の計測値）に応じて揺動用電動駆動部５０を制御して、光電池７０の発電量を増加させることも可能である。
特に好ましい態様では、支持前枠１１の両側に二つの照度センサ１２ａ，１２ｂを設け（図１参照）、これら二つの照度センサ１２ａ，１２ｂの照度計測値を比べることで、キャンバス１０の左右における照度の偏りを認識し、その偏りが小さくなるように、二つの揺動用電動駆動部５０を適宜に動作させる。
例えば、一方の照度センサ１２ａ（又は１２ｂ）の計測値が、他方の照度センサ１２ｂ（又は１２ａ）の計測値よりも小さい場合に、一方の照度センサ１２ａ（１２ｂ）を取り付けた側の支持アーム３０のみを下降して照度計測値を増加させ、キャンバス１０の左右で光電池７０による発電量が均等になるようにし、キャンバス１０全体の光電池７０の発電量を増加させることが可能である。
【００６６】
また、他例としては、入力される条件データに応じた動作パターンで複数の揺動用電動駆動部５０を動作させるとともに、照度センサ１２ａ，１２ｂから入力される電気信号（照度の計測値）によっても揺動用電動駆動部５０を制御し、光電池７０の発電効率をより向上することも可能である。
【００６７】
また、上記実施例では、キャンバス１０の左右側の角度を自動的に変化させるようにしたが、さらに追加する構成として、図示しない操作部の操作によって、キャンバス１０を角度変化しないように固定したり、キャンバス１０の左右側の角度を手動で調整したり等できるようにしてもよい。
【００６８】
また、上記実施例では、キャンバス１０を格納位置にした場合に、キャンバス１０及び支持アーム３０等を、その揺動範囲の上限で停止するようにしたが、他例としては、キャンバス１０及び支持アーム３０等を、揺動範囲の下限で停止させる構造としたり、揺動範囲の中途位置で停止させたり等することも可能である。
【００６９】
また、上記実施例に追加する構成として、初期状態で前記格納状態にあるオーニング装置１を、照度センサ１２ａ（又は１２ｂ）から入力される電気信号（照度の計測値）が所定の閾値を超えたことを条件に、自動的に展開動作する構成とすることも可能である。
【００７０】
また、上記実施例に追加する構成として、前記照度センサ１２ａ，１２ｂ、風速センサ１３、雨センサ１４以外のセンサとして、積雪センサ、温度センサ、火災センサ、煙センサ、人感センサ等のうち、一種類以上のセンサを備え、これらセンサの感知信号に応じて、前記展開動作や、収納動作、傾斜角度の変更等を自動的に行う構成とすることも可能である。
【符号の説明】
【００７１】
１：オーニング装置                  １０：キャンバス
１１：支持前枠                      １２ａ，１２ｂ：照度センサ
１３：風速センサ                    １４：雨センサ
２０：巻取体                        ３０：支持アーム
４０：支持基体                      ５０：揺動用電動駆動部
７０：光電池
【図１】
0005927041.tif 000002
【図２】
0005927041.tif 000003
【図３】
0005927041.tif 000004
【図４】
0005927041.tif 000005
【図５】
0005927041.tif 000006
【図６】
0005927041.tif 000007
【図７】
0005927041.tif 000008